(57)【要約】【課題】  従来は、ボトル、ペットボトル等の瓶類、又はコップ、ジョッキ、湯呑の器類でなる容器内に、高・低温の水、同飲料水、薬液等の流体を充填した場合に、保温の継続性、水滴の発生による濡れ等が問題となっていた。その対策として、内外容器の間に、真空層を設け構成、また断熱層を設ける構成があり、他の例では保温・保冷カバーで被覆する方法とが利用されている。しかし、二重構造のペットボトルに採用するには問題がある。【構成】  本発明は、ボトル本体部と、周辺に空気層を設けて透明の外郭ボトル部を形成し、ボトル本体部の外形を平坦面で形成し、また前記外郭ボトル部の外形を凹凸面で形成し、空気層に空間隙間の大小を形成したことを特徴とする二重構造のペットボトルである。従って、保冷・保温効果を有する。【選択図】    図１
2005145488.tif 000002
【特許請求の範囲】
【請求項１】
ボトル本体部と、この周辺に空気層を設けて透明の外郭ボトル部を形成し、前記ボトル本体部の外形を平坦面で形成し、また前記外郭ボトル部の外形を凹凸面で形成し、前記空気層に空間隙間の大小を形成したことを特徴とする二重構造のペットボトル。
【請求項２】
請求項1に記載の外郭ボトル部に、着色用の流体を充填する開閉自在の抽入口を形成したことを特徴とする二重構造のペットボトル。
【請求項３】
請求項2に記載の外郭ボトル部に、着色用の流体を充填した容器を吊下げ可能としたことを特徴とする二重構造のペットボトル。
【請求項４】
請求項1に記載のボトル本体部の口部には、前記外郭ボトル部を形成しない構成としたことを特徴とする二重構造のペットボトル。
【発明の詳細な説明】
【技術分野】
【０００１】
本発明は、二重構造のペットボトルに関する。
【背景技術】
【０００２】
周知の如く、ボトル、ペットボトル等の瓶類、又はコップ、ジョッキ、湯呑の器類でなる容器内に、高・低温の水、同飲料水、薬液等の流体を充填した場合に、保温の継続性、水滴の発生による濡れ等が問題となる。その対策として、内外容器の間に、真空層を設け構成、また断熱層を設ける構成（二重構造）があり、他の例では保温・保冷カバーで被覆する方法（被覆構造）とが利用されている。この種の二重構造を採用した二重構造のペットボトルに関する先行文献は見当たらなかった。
【０００３】
そして、念のために、二重構造の容器（ボトル以外の二重構造）を列挙する。文献(1)は特開平9-58753号の「保冷容器」があり、二重壁内に、冷水を充填する構造である。また文献(2)は特開平10-316151号の「二重容器」であり、容器とシート袋との構成であり、前述の保温・保冷カバーで被覆する方法と同じである。さらに文献(3)は特開2000-60743の「透明断熱容器」であり、空隙部を形成した二重壁構造の断熱容器であり、保温性の向上を意図する。
【０００４】
【特許文献１】特開平9-58753号
【特許文献２】特開平10-316151号
【特許文献３】特開2000-60743
【発明の開示】
【発明が解決しようとする課題】
【０００５】
前記文献(1)〜(3)においては、ペッドボトルに関する文献でないこと、またこの各文献で開示された構成では、本発明が意図するペットボトルには採用できない。即ち、文献(1)は硬質の容器を基本とする二重構造であり、本発明の如く、強度的に劣る材質（プラスチック構造体）を使用する構成には採用できない、又は栓体の取付け構造においても、本発明では採用できない構造である。また文献(2)は二重構造のカバーであって、本発明の如く、ボトル本体部と外郭ボトル部とを一体構造とする構成とは、本質的に異なる。さらに文献(3)は前述の文献(1)と略同様な構造であり、本発明には、採用できない構造である。
【０００６】
上記に鑑み本発明は、ペットボトルに最適であり、かつ保冷・保温効果の持続を図ること、また強度性を備えつつ、従来の軽量化と、コストの上昇の抑制を図ること等を意図する。そして、本発明は、再利用を図れる構造を採用して、資源の有効利用を図ること、又は水滴の発生を回避して、濡れ防止と、滑り防止を図ること等を意図する。尚、本発明は、二重構造であり、把持しても熱を感ずることが無く、安全であり、子供から老人まで安心して使用できる実益がある。
【課題を解決するための手段】
【０００７】
請求項1の発明は、前述の目的を達成することを意図する。
【０００８】
請求項1は、ボトル本体部と、この周辺に空気層を設けて透明の外郭ボトル部を形成し、前記ボトル本体部の外形を平坦面で形成し、また前記外郭ボトル部の外形を凹凸面で形成し、前記空気層に空間隙間の大小を形成したことを特徴とする二重構造のペットボトルである。
【０００９】
請求項2の発明は、請求項1の目的を達成すること、又はこの目的達成に最適な外郭ボトル部を備えた二重構造のペットボトルの提供を意図する。
【００１０】
請求項2は、請求項1に記載の外郭ボトル部に、着色用の流体を充填する開閉自在の抽入口を形成したことを特徴とする二重構造のペットボトルである。
【００１１】
請求項3の発明は、請求項1の目的を達成すること、又はこの目的達成に最適な外郭ボトル部を備えた二重構造のペットボトルの提供を意図する。
【００１２】
請求項3は、請求項2に記載の外郭ボトル部に、着色用の流体を充填した容器を吊下げ可能としたことを特徴とする二重構造のペットボトルである。
【００１３】
請求項4の発明は、請求項1の目的を達成すること、又はこの目的達成に最適な二重構造のペットボトルの提供を意図する。
【００１４】
請求項4は、請求項1に記載のボトル本体部の口部には、前記外郭ボトル部を形成しない構成としたことを特徴とする二重構造のペットボトルである。
【発明の効果】
【００１５】
請求項1の発明は、ボトル本体部と、この周辺に空気層を設けて透明の外郭ボトル部を形成し、ボトル本体部の外形を平坦面で形成し、また外郭ボトル部の外形を凹凸面で形成し、空気層に空間隙間の大小を形成したことを特徴とする二重構造のペットボトルである。
【００１６】
従って、請求項1は、ペットボトルに最適であり、かつ保冷・保温効果が持続できること、また強度性を備えつつ、従来の軽量化と、コストの上昇の抑制が図れること等の特徴がある。本発明は、再利用を図れる構造を採用して、資源の有効利用が図れること、又は水滴の発生を回避して、濡れ防止と、滑り防止が図れること等の特徴がある。そして、本発明は、二重構造であり、把持しても熱を感ずることが無く、安全であり、子供から老人まで安心して使用できる実益がある。
【００１７】
請求項2の発明は、請求項1に記載の外郭ボトル部に、着色用の流体を充填する開閉自在の抽入口を形成したことを特徴とする二重構造のペットボトルである
従って、請求項2は、請求項1の目的を達成できること、又はこの目的達成に最適な外郭ボトル部を備えた二重構造のペットボトルを提供できること等の特徴がある。
【００１８】
請求項3の発明は、請求項2に記載の外郭ボトル部に、着色用の流体を充填した容器を吊下げ可能としたことを特徴とする二重構造のペットボトルである。
【００１９】
従って、請求項3は、請求項1の目的を達成できること、又はこの目的達成に最適な外郭ボトル部を備えた二重構造のペットボトルを提供できること等の特徴がある。
【００２０】
請求項4の発明は、請求項1に記載のボトル本体部の口部には、外郭ボトル部を形成しない構成としたことを特徴とする二重構造のペットボトルである。
【００２１】
従って、請求項4は、請求項1の目的を達成できること、又はこの目的達成に最適な二重構造のペットボトルを提供できること等の特徴がある。
【発明を実施するための最良の形態】
【００２２】
以下、本発明の一例を説明する。
【００２３】
図1、図2の例では、1はペットボトルAのボトル本体部で、このボトル本体部1の周辺に空気層2を設けて透明の外郭ボトル部3を形成する。この空気層2は保冷・保温効果の持続に有効であり、例えば、：保冷・保温効果が持続できること、また強度性を備えつつ、従来の軽量化と、コスト上昇が抑制される。：再利用を図れる構造として、資源の有効利用が図れる。：水滴の発生を回避して、濡れ防止と、滑り防止が図れる。：把持しても熱を感ずることが無く、安全であり、子供から老人まで安心して使用できる等の特徴がある。
【００２４】
そして、この例では、ボトル本体部1の外形を平坦面100に形成するとともに、外郭ボトル部3の外形を凹凸面300で形成して強度の向上と、空気層2に空隙（隙間）の大小を形成して緩衝効果を図る。また後述する色のコントラスト、また液体の揺れ動きの変化等を楽しめる効果がある。
【００２５】
また図3、図4の例では、外郭ボトル部3に抽入口301を設け、この抽入口301を栓302で開閉する。この抽入口301を利用して容器4内の流体400を、空気層2を排除して流体層2aを形成する。この形成後に抽入口301を栓302で塞ぐ構造である。
【００２６】
さらに図5の例では、図3、図4の例の利便性と、商品価値の向上とを意図するものであり、ペットボトルAの首部A1に容器4をタッグ方式にしたものであり、紐5を利用して吊下した構造である。その使用は前述の例に準ずる。
【００２７】
図6の例は、空気層2（流体層2a）をペットボトルAの首部A1で収斂した一例であり、キャップ6を利用してペットボトルA内の内容物の温度を確認できる構造とする。
【図面の簡単な説明】
【００２８】
【図１】本発明の一例であり全体の断面模式図
【図２】図1の例の要部の拡大模式図
【図３】本発明の他の一例であり全体の断面模式図
【図４】図3の例の抽入口と栓との関係を示した拡大断面模式図
【図５】本発明のさらに他の一例であり全体の断面模式図
【図６】本発明の別の一例であり要部の断面模式図
【符号の説明】
【００２９】
1              ボトル本体部
100            平坦面
2              空気層
2a             流体層
3              外郭ボトル部
300            凹凸面
301            抽入口
302            栓
4              容器
400            流体
5              紐
6              キャップ
A              ペットボトル
A1             首部
【図１】
2005145488.tif 000003
【図２】
2005145488.tif 000004
【図３】
2005145488.tif 000005
【図４】
2005145488.tif 000006
【図５】
2005145488.tif 000007
【図６】
2005145488.tif 000008